(57)【特許請求の範囲】
【請求項１】
フレキシブルプリント基板（ＦＰＣ）又はフレキシブルフラットケーブル（ＦＦＣ）と着脱自在に嵌合するコネクタであって、
前記ＦＰＣ又は前記ＦＦＣと接触する接触部、および基板に接続する接続部を有する所要数のコンタクトと、該コンタクトが保持・固定されるとともに前記ＦＰＣ又は前記ＦＦＣが挿入される嵌合口を有するハウジングと、前記嵌合口の反対側に、前記ＦＰＣ又は前記ＦＦＣに前記コンタクトを押圧するスライダーとを備え、前記接触部が、前記ＦＰＣ又は前記ＦＦＣの少なくとも上面と接触するコネクタにおいて、
前記コンタクトは、２種類の異なるコンタクトである第１および第２のコンタクトからなり、これら第１および第２のコンタクトは、ハウジングへの挿入方向を互い違いに変えて千鳥に配置され、
前記第１コンタクトには、前記ＦＰＣ又は前記ＦＦＣの上面側に位置しかつ前記接触部である第１接触部と、前記接続部である第１接続部との間に、第１弾性部と第１支点部とを設けるとともに、前記第１接触部と前記第１弾性部と前記第１支点部と前記第１接続部とを略クランク形状に配置し、かつ、前記第１接続部と対向する位置に前記第１弾性部から延設された第１押受部を設け、
前記第２コンタクトには、前記ＦＰＣ又は前記ＦＦＣの上面側に位置しかつ前記接触部である第２接触部と、前記接続部である第２接続部との間に、第２弾性部と第２支点部とを設けるとともに、前記第２接触部と前記第２弾性部と前記第２支点部と前記第２接続部とを略コ字状に配置し、かつ、前記第２弾性部から前記第２接触部と反対方向に延設された第２押受部を設け、
前記スライダーには、長手方向に連設した細長形状の押圧部を設けるとともに、所要数の前記第１及び第２コンタクトの第１及び第２押受部の先端と係合する係止孔を別個独立に設け、前記押圧部が前記第１コンタクトの第１接続部と第１押受部との間及び前記第２コンタクトの第２押受部と前記ハウジングとの間で回動自在に前記スライダーを前記ハウジングに装着し、
前記スライダーの押圧部が前記第１コンタクトの第１接続部と第１押受部との間及び前記第２コンタクトの第２押受部と前記ハウジングとの間で回動すると、前記第１及び第２押受部が押圧部によって押し上げられることで前記第１及び第２支点部を支点にし、前記第１及び第２弾性部が前記第１及び第２接触部側に傾くことによって、前記第１及び第２接触部が、前記ＦＰＣ又は前記ＦＦＣ側に押圧されて、前記ＦＰＣ又は前記ＦＦＣと接触することを特徴とするコネクタ。
【請求項２】
前記押圧部の細長形状を、楕円形にすることを特徴とする請求項１記載のコネクタ。
【請求項３】
前記ハウジングには、スライダーが装着される側から嵌合口側に向かう方向に貫通した挿入溝が設けられ、前記第１コンタクトは、前記挿入溝に挿入された状態で保持されることを特徴とする請求項１または２記載のコネクタ。
【請求項４】
前記第１コンタクトは、前記第１支点部から前記第１接続部と反対方向に延設した部分を有し、かつ該部分の先端には、前記第１接触部と向き合うように、前記ＦＰＣ又は前記ＦＦＣの下面と接触する第３接触部が設けられる請求項１、２または３記載のコネクタ。
【請求項５】
前記第２コンタクトは、前記第２支点部と前記第２接続部との間に位置し、前記ＦＰＣ又は前記ＦＦＣと接触する第４接触部をさらに有することを特徴とする請求項１〜４のいずれか１項記載のコネクタ。
【発明の詳細な説明】
【技術分野】
【０００１】
本発明は、携帯電話やノートパソコンやデジタルカメラ等に使用されるコネクタに関するもので、特にフレキシブルプリント基板（以下「ＦＰＣ」という）やフレキシブルフラットケーブル（以下「ＦＦＣ」という）にコンタクトを押し付ける機構に関するものである。
【背景技術】
【０００２】
携帯電話やＣＣＤカメラ等に使用されるコネクタは、狭ピッチで極薄（所謂軽薄短小）であり、主にハウジングとコンタクトとスライダーとから構成され、ハウジングとスライダーとでＦＰＣ又はＦＦＣを挟持する構造である。ハウジングとスライダーとでＦＰＣ又はＦＦＣを保持する方法には、色々考えられるが、中でもハウジングにＦＰＣ又はＦＦＣを挿入した後にスライダーを挿入しＦＰＣ又はＦＦＣをコンタクトに押し付ける構造のものが多い。
【０００３】
ハウジングには、コンタクトが挿入される所要数の挿入孔が設けられるとともにＦＰＣ又はＦＦＣが挿入される嵌合口が設けられている。
【０００４】
コンタクト６４は図８のように略コ字形状をしており、主にＦＰＣ４０又はＦＦＣと接触する接触部２２と基板等に接続する接続部２４とハウジング６２に固定される固定部４２とから構成されている。このコンタクト６４は、圧入等によってハウジング６２に固定されている。
【０００５】
例えば、スライダー６６は、図８のように略楔形状をしており、所要数のコンタクト６４が配置されたハウジング６２に、ＦＰＣ４０又はＦＦＣを挿入した後に、前記スライダー６６を挿入する。このようなスライダー６６は、主にハウジング６２に装着される装着部７４とＦＰＣ４０又はＦＦＣをコンタクト６４の接触部２２に押圧する押圧部６８とを備えている。ＦＰＣ４０又はＦＦＣが挿入される以前は、スライダー６６はハウジング６２に仮装着された状態になっており、ＦＰＣ４０又はＦＦＣが挿入された後にスライダー６６を挿入すると、図８（Ｂ）のようにＦＰＣ４０又はＦＦＣと平行に前記スライダー６６の押圧部６８が挿入され、コンタクト６４の接触部２２にＦＰＣ４０又はＦＦＣが押圧されるようになる。
【発明の開示】
【発明が解決しようとする課題】
【０００６】
近年、この種のコネクタ６０には、より低背位化の要求が強くなってきているが、上述した構造のコネクタ６０では、図８（Ｂ）のように６層（ハウジング６２の厚み方向両側の壁・コンタクト６４の接触部２２と受け部７０の厚さ・スライダー６６の押圧部６８の厚さ・ＦＰＣ４０又はＦＦＣの厚さ）構造になっている。低背位化を考えると、コンタクト６４の受け部７０を省略し、５層（ハウジング６２の厚み方向両側の壁・コンタクト６４の接触部２２の厚さ・スライダー６６の押圧部６８の厚さ・ＦＰＣ４０又はＦＦＣの厚さ）構造にすることはできるが、各部位の強度や仕様等からこれ以上低背位化が出来ないといった解決すべき課題があった。
【０００７】
また、上述のような構造のコネクタ６０では、ハウジング６２の嵌合口１８側のみで、ＦＰＣ４０又はＦＦＣの挿入とコンタクト６４の接触部２２をＦＰＣ４０又はＦＦＣに押し付ける動作を行っているので、コネクタが小型化すればするほど作業性が悪いと言った問題点もある。
【０００８】
さらにまた、コネクタ６０のピッチの狭小化が要求された場合、従来の構造のようにコンタクト６４を一方向から挿入したのでは、コネクタの狭小化にも限界があった。
【０００９】
本発明は、このような従来の問題点に鑑みてなされたもので、各部位の強度や仕様等を損なうことなく、スライダー１６でＦＰＣ４０又はＦＦＣを確実に第１及び第２コンタクト１４、１４２の第１及び第２接触部２２ａ、２２ｂに押圧することができ、作業性がよく、ピッチの狭小化や低背位化が可能なコネクタを提供せんとするものである。
【課題を解決するための手段】
【００１０】
上記目的の低背位化とピッチの狭小化を達成するため、本発明は、フレキシブルプリント基板（ＦＰＣ）又はフレキシブルフラットケーブル（ＦＦＣ）と着脱自在に嵌合するコネクタであって、前記ＦＰＣ又は前記ＦＦＣと接触する接触部、および基板に接続する接続部を有する所要数のコンタクトと、該コンタクトが保持・固定されるとともに前記ＦＰＣ又は前記ＦＦＣが挿入される嵌合口を有するハウジングと、前記嵌合口とは反対側に、前記ＦＰＣ又は前記ＦＦＣに前記コンタクトを押圧するスライダーとを備え、前記接触部が、前記ＦＰＣ又は前記ＦＦＣの少なくとも上面と接触するコネクタにおいて、前記コンタクトは、２種類の異なるコンタクトである第１および第２のコンタクトからなり、これら第１および第２のコンタクトは前記ハウジングへの挿入方向を互い違いに変えて千鳥に配置され、前記第１コンタクトには、前記ＦＰＣ又は前記ＦＦＣの上面側に位置しかつ前記接触部である第１接触部と、前記接続部である第１接続部との間に、第１弾性部と第１支点部とを設けるとともに、前記第１接触部と前記第１弾性部と前記第１支点部と前記第１接続部とを略クランク形状に配置し、かつ、前記第１接続部と対向する位置に前記第１弾性部から延設された第１押受部を設け、前記第２コンタクトには、前記ＦＰＣ又は前記ＦＦＣの上面側に位置しかつ前記接触部である第２接触部と、前記接続部である第２接続部との間に、第２弾性部と第２支点部とを設けるとともに、前記第２接触部と前記第２弾性部と前記第２支点部と前記第２接続部とを略コ字状に配置し、かつ、前記第２弾性部から前記第２接触部と反対方向に延設された第２押受部を設けるとともに、必要に応じて、前記第２支点部から前記第２接続部と反対方向に延設された延設部を有し、前記スライダーには、長手方向に連設した細長形状の押圧部を設けるとともに、所要数の前記第１及び第２コンタクトの第１及び第２押受部の先端と係合する係止孔を別個独立に設け、前記押圧部が前記第１コンタクトの第１接続部と第１押受部との間及び前記第２コンタクトの第２押受部と前記ハウジングまたは前記第２コンタクトの前記延設部との間で回動自在に前記スライダーを前記ハウジングに装着し、前記スライダーの押圧部が前記第１コンタクトの第１接続部と第１押受部との間及び前記第２コンタクトの第２押受部と前記ハウジングまたは前記第２コンタクトの前記延設部との間で回動すると、前記第１及び第２押受部が押圧部によって押し上げられることで前記第１及び第２支点部を支点にし、前記第１及び第２弾性部が前記第１及び第２接触部側に傾くことによって、前記第１及び第２接触部が、前記ＦＰＣ又は前記ＦＦＣ側に押圧されて、前記ＦＰＣ又は前記ＦＦＣと接触することを特徴とするコネクタである。
【００１１】
前記第１コンタクトの第１押受部及び／又は前記第２コンタクトの第２押受部の先端に第１及び／又は第２突出部を設け、前記スライダーの押圧部が前記第１コンタクトの第１接続部方向へ移動しないようにすることが望ましい。このように第１及び第２突出部を設けることで、スライダーの押圧部を前記第１コンタクトの前記第１押受部と前記第１接続部との間及び前記第２コンタクトの第２押受部と前記ハウジングとの間で回動させるとき、スライダーの回動に対する反発力が強い為に、スライダーの中央部が図６（Ｂ）の矢印「ハ」方向に膨れてしまうことを防ぐことが出来る。
【００１２】
また、前記スライダーの押圧部の形状を細長形状にすることが望ましい。例えば、楕円形にすると良い。このように細長形状にすることで、前記スライダーを回動した際に、確実に前記第１及び第２コンタクトの第１及び第２押受部を上方に押し上げ、第１及び第２接触部をＦＰＣ又はＦＦＣに容易に接触させることができる。
【００１３】
前記スライダーには、所要数の前記第１及び第２コンタクトの第１及び第２突出部と係合する係止孔を設け、該係止孔を別個独立にした方がよい。このように前記係止孔を別個独立にすることで、前記スライダーを強固で、確実に回動することができる。
【００１４】
また、前記第１コンタクトは、前記第１接触部（図４(Ａ)では上側に位置する接触部でＦＰＣの表面と接触する部分）と、前記第１支点部から前記第１接触部と同じ向きに延設した方向にも前記ＦＰＣ又は前記ＦＦＣと接触する第３接触部（図４(Ａ)では下側に位置する接触部でＦＰＣの裏面と接触する部分）の２個の接触部で構成することが好ましい。このように前記ＦＰＣ又は前記ＦＦＣの挿入方向に対して、直角方向両側にそれぞれ接触部を設けることで、前記ＦＰＣ又は前記ＦＦＣを第１及び第３接触部で挟持することになり、確実に前記ＦＰＣ又は前記ＦＦＣと接触できるようになる。
【００１５】
さらにまた、前記第２コンタクトは、前記第２接触部（図６(Ｂ)では上側に位置する接触部でＦＰＣの表面と接触する部分）及び前記第２支点部と前記第２接続部との間に位置して前記ＦＰＣ又は前記ＦＦＣと接触する第４接触部（図６(Ｂ)では下側に位置する接触部でＦＰＣの裏面と接触する部分）の２個の接触部で構成することが好ましい。このように前記ＦＰＣ又は前記ＦＦＣの挿入方向に対して、直角方向両側にそれぞれ接触部を設けることで、前記ＦＰＣ又は前記ＦＦＣを第２及び第４接触部で挟持することになり、確実に前記ＦＰＣ又は前記ＦＦＣと接触できるようになる。
【００１６】
前記第２コンタクトの前記第２支点部から第２接続部と反対方向に延設された延設部を設け、前記スライダーの押圧部が延設部と第２押受部との間で回動自在に前記スライダーを前記ハウジングに装着する。このように延設部を設け、この延設部と前記第２押受部との間でスライダーを回動させることで、回動させた際により確実に第２コンタクトの第２接触部を前記ＦＰＣ又は前記ＦＦＣに押圧することができる。
【発明の効果】
【００１７】
前記ＦＰＣ又は前記ＦＦＣが前記ハウジングの嵌合口内に挿入された後に、前記スライダーの押圧部が前記第１コンタクトの第１接続部と第１押受部及び前記第２コンタクトの第２押受部と延設部との間で回動すると、前記第１及び第２押受部が第１及び第２押圧部によって押し上げられることで両方のコンタクトの第１及び第２支点部を支点にし、前記第１及び第２コンタクトの第１及び第２弾性部が前記第１及び第２接触部側に傾くことによって、前記第１及び第２接触部が前記ＦＰＣ又は前記ＦＦＣ側に押圧される。
【発明を実施するための最良の形態】
【００１８】
図３から図６に基づいて、本発明のコネクタの一実施例について説明する。図３はスライダーの斜視図である。図４（Ａ）は２つの接触部を持った別の第１コンタクトの斜視図であり、図４（Ｂ）は１つの接触部を持った第１コンタクトの斜視図である。図５はスライダーが開いた状態で第２コンタクトの第２接続部側からみたときの本発明のコネクタの斜視図である。図６（Ａ）はスライダーが開いた状態で第２コンタクト部分で切断したときの本発明のコネクタの斜視図であり、図６（Ｂ）はＦＰＣが挿入され、スライダーが閉じた状態で第２コンタクト部分で切断したときの本発明のコネクタの斜視図である。
【００１９】
本発明のコネクタ１０１は、主にハウジング１２１とスライダー１６１とコンタクト１４、１４２とを備えている。本実施例の特徴は、第１コンタクト１４及び第２コンタクト１４２をハウジング１２１への挿入方向を互い違いに変えて千鳥に配列している点にあり、挿入方向を互い違いに変えて千鳥に配列することによってピッチの狭小化と低背位化に対応させたものである。
【００２０】
図に基づいて本発明のコネクタの構成部品について説明する。まず、本発明のポイントであるコンタクトについて説明する。このコンタクトは金属製であり、公知技術のプレス加工によって製作されている。前記コンタクトの材質としては、バネ性や導電性などが要求されるので、黄銅やベリリウム銅やリン青銅等を挙げることができる。
【００２１】
前記第１コンタクト１４は、図４（Ａ）のように略Ｈ字形状をしており、主に前記ＦＰＣ４０又は前記ＦＦＣと接触する第１接触部２２ａと、基板に接続する第１接続部２４ａと、ハウジング１２に固定する第１固定部４２ａと、前記第１接触部２２ａと前記第１接続部２４ａとの間に設けられた第１弾性部３４ａ及び第１支点部３２ａと、前記第１接続部２４ａと対向する位置に前記第１弾性部３４ａから延設された第１押受部２０ａと、前記第１支点部３２ａから前記第１接触部２２ａと同じ向きに延設した方向にも前記ＦＰＣ４０又は前記ＦＦＣと接触する第３接触部２２ｃとを備えている。上方側の前記第１接触部２２ａ（図４（Ａ）の図面の上側）と前記第１弾性部３４ａと前記第１支点部３２ａと前記第１接続部２４ａとは、略クランク形状に配置されている。前記第１および第３接触部２２ａ、２２ｃは、前記ＦＰＣ４０又は前記ＦＦＣと接触し易いように凸部形状にしており、前記第１接続部２４ａは本実施例では図１のように表面実装タイプ（ＳＭＴ）にしているが、ディップタイプでも良い。即ち、２つの前記第１及び第３接触部２２ａ、２２ｃを設けて、前記ＦＰＣ４０又は前記ＦＦＣを挟持するようにする。前記ＦＰＣ４０又は前記ＦＦＣの挿入方向に対して、直角方向両側に前記第１及び第３接触部２２ａ、２２ｃを設けることで、前記ＦＰＣ４０又は前記ＦＦＣを２つの前記第１及び第３接触部２２ａ、２２ｃで挟持することになり、確実に前記ＦＰＣ４０又は前記ＦＦＣと接触できるようになる。
【００２２】
前記第１支点部３２ａと前記第１弾性部３４ａと前記第１押受部２０ａとは、前記ＦＰＣ４０又は前記ＦＦＣが挿入された際に、次のような作用を果たすための部分である。前記ＦＰＣ４０又は前記ＦＦＣが前記ハウジング１２の嵌合口１８内に挿入された後に、前記スライダー１６１の押圧部３６が前記第１コンタクト１４の第１接続部２４ａと第１押受部２０ａとの間で回動すると、前記第１押受部２０ａが押圧部３６によって押し上げられることで前記第１コンタクト１４の第１支点部３２ａを支点にし、前記第１コンタクト１４の第１弾性部３４ａが前記第１接触部２２ａ側に傾くことによって、前記第１接触部２２ａが前記ＦＰＣ４０又は前記ＦＦＣ側に押圧される。前記第１支点部３２ａと前記第１弾性部３４ａと前記第１押受部２０ａの大きさや形状は、このような作用を果たすために、適宜設計されている。
【００２３】
また、前記第１コンタクト１４の第１押受部２０ａの先端に第１突出部２６ａを設ける。前記スライダー１６１の押圧部３６を前記第１コンタクト１４の第１押受部２０ａと第１接続部２４ａとの間で回動させるとき、前記スライダー１６１の回動に対する反発力が強い為に、スライダー１６１の中央部が図６（Ｂ）の矢印「ハ」方向に膨れる傾向があるが、前記第１突出部２６ａを設けることにより、かかる傾向を防ぐようにすることができる。前記第１突出部２６ａの大きさは、このような役割を果たすことが出来れば如何なる大きさでもよく、前記スライダー１６１の押圧部３６が引っ掛かる程度に適宜設計する。
【００２４】
次に、図４（Ｂ）に基づいて、第１コンタクトの他の実施形態について説明する。ここでは、上述した第１コンタクト１４との相違部分についてのみ説明する。図４（Ｂ）に示す第１コンタクト１４１は、図４（Ａ）に示す第１コンタクト１４から、第１支点部３２ａから第１接続部２４ａと反対方向に延設した部分および第３接触部２２ｃを削除したものであり、形状を略ｈ字形状にした。
【００２５】
さらに、本発明の第２コンタクト１４２について説明する。第２コンタクト１４２も金属製であり、公知技術のプレス加工によって製作されている。材質は、第１コンタクト１４と同様である。
【００２６】
第２コンタクト１４２もまた、第１コンタクト１４と同様に略ｈ字形状と略Ｈ字形状の２つのタイプがあり、略ｈ字形状のものは、主にＦＰＣ４０又はＦＦＣと接触する第２接触部２２ｂと、基板に接続する第２接続部２４ｂと、ハウジング１２１に固定する第２固定部４２ｂと、前記第２接触部２２ｂと前記第２接続部２４ｂとの間に設けられた第２弾性部３４ｂ及び第２支点部３２ｂと前記第２弾性部３４ｂから延設された第２押受部２０ｂとを備えている。前記第２接触部２２ｂと前記第２弾性部３４ｂと前記第２支点部３２ｂと前記第２接続部２４ｂとは、略コ字形状に配置されている。略Ｈ字形状のものは、前記第２支点部３２ｂから前記第２押受部２０ｂと同じ向きに延設した延設部４４が設けられている。前記第２接触部２２ｂは、ＦＰＣ４０又はＦＦＣと接触し易いように凸部形状にしており、前記第２接続部２４ｂは本実施例では図５のように表面実装タイプ（ＳＭＴ）にしているが、ディップタイプでも良い。
【００２７】
前記第２支点部３２ｂと前記第２弾性部３４ｂと前記第２押受部２０ｂとは、前記第１コンタクト１４と同様に、前記ＦＰＣ４０又は前記ＦＦＣが挿入された際に、前記スライダー１６１の押圧部３６が前記第２コンタクト１４２の第２押受部２０ｂと前記ハウジング１２１との間若しくは第２押受部２０ｂと延設部４４との間で回動すると、前記第２押受部２０ｂが押圧部３６によって押し上げられることで前記第２コンタクト１４２の第２支点部３２ｂを支点にし、前記第２コンタクト１４２の第２弾性部３４ｂが前記第２接触部２２ｂ側に傾くことによって、前記第２接触部２２ｂが前記ＦＰＣ４０又は前記ＦＦＣ側に押圧される。前記第２支点部３２ｂと前記第２弾性部３４ｂと前記第２押受部２０ｂの大きさや形状は、このような作用を果たすために、適宜設計されている。
【００２８】
また、第２コンタクト１４２の第２押受部２０ｂの先端に第２突出部２６ｂを設ける。前記スライダー１６１の押圧部３６を前記第２コンタクト１４２の第２押受部２０ｂとハウジング１２１との間で回動させるとき、前記スライダー１６１の回動に対する反発力が強い為に、スライダー１６１の中央部が図６（Ｂ）の矢印「ハ」方向に膨れる傾向があるが、前記第２突出部２６ｂを設けることにより、かかる傾向を防ぐようにすることができる。前記第２突出部２６ｂの大きさは、このような役割を果たすことが出来れば如何なる大きさでもよく、前記スライダー１６１の押圧部３６が引っ掛かる程度に適宜設計する。
【００２９】
次に、本発明のもう一つのポイントであるスライダーについて説明する。このスライダーは電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。該スライダー１６１は、主に前記ハウジング１２に回動可能に装着される軸２８部分と、前記第１及び第２コンタクト１４、１４２の第１及び第２押受部２０ａ、２０ｂを押圧する押圧部３６と、前記第１及び第２コンタクト１４、１４２の第１及び第２突出部２６ａ、２６ｂが係合する係止孔３０とを備えている。前記軸２８は、前記スライダー１６１を回動するための支点であり、前記ハウジング１２１の長手方向両側に前記スライダー１６１が回動可能に適宜装着されている。また、長手方向両側には、前記第１及び第２コンタクト１４、１４２の第１及び第２押受部２０ａ、２０ｂを押圧した際にスライダー１６１が高さ（図面の上）方向に持ち上がらないようにするために前記ハウジング１２１と係合するロック部が設けられている。ロック部の形状や大きさ等は、ハウジング１２１に係合できれば如何なるものでもよく、上述の役割やコネクタの大きさや強度等を考慮して適宜設計する。
【００３０】
前記押圧部３６は、前記第１及び第２コンタクト１４、１４２の第１及び第２押受部２０ａ、２０ｂに押し付ける部分であり、その形状としては細長形状にする。前記押圧部３６の形状は、本実施例では楕円形状をしている。このように楕円形状にすることによって、図２（Ａ）のように前記スライダー１６１を矢印「イ」方向に回動させ、前記第１コンタクト１４の第１押受部２０aと第１接続部２４ａとの間及び前記第２コンタクト１４２の第２押受部２０ｂと延設部４４との間で回転させることで、前記押圧部３６の大きさの変化により前記第１及び第２コンタクト１４、１４２の第１及び第２押受部２０ａ、２０ｂが持ち上げられ、前記ＦＰＣ４０又は前記ＦＦＣに前記第１及び第２コンタクト１４、１４２の第１及び第２接触部２２ａ、２２ｂを押し付けている。前記押圧部３６の形状としては、前記第１コンタクト１４の第１押受部２０aと第１接続部２４ａとの間及び前記第２コンタクト１４２の第２押受部２０ｂと延設部４４との間で回転でき、長軸と短軸といった大きさの違いにより前記第１及び第２コンタクト１４、１４２の第１及び第２押受部２０ａ、２０ｂを押し上げられれば、如何なるものでもよい。
【００３１】
また、前記スライダー１６１を回動した際に、前記スライダー１６１の回動に対する反発力が強く、前記スライダー１６１の中央部が図６（Ｂ）の矢印「ハ」方向に膨れてしまうことを防ぐようにする為に、前記第２コンタクト１４２の第２突出部２６ｂが係合する前記係止孔３０が別個独立に設けられている。前記係止孔３０を別個独立に設けることで、前記スライダー１６１の強度アップや回動時の変形を防止している。
【００３２】
最後に、ハウジングについて説明する。このハウジングは電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ハウジング１２１には、所要数の前記第１及び第２コンタクト１４、１４１、１４２が装着される挿入溝３８が設けられており、圧入や引っ掛け（ランス）や溶着等によって固定されている。
【００３３】
また、長手方向両側には、前記スライダー１６１の軸２８が回動可能に装着される軸受部が設けられている。この軸受部の形状や大きさは、前記スライダー１６１の軸２８が回動できるように装着されていれば如何なるものでもよく、この役割や前記ハウジング１２１の強度や大きさ等を考慮して適宜設計する。なお、長手方向両側には、前記スライダー１６１のロック部に対応した位置に係止部が設けられている。
【産業上の利用可能性】
【００３４】
以上の説明から明らかなように、本発明のコネクタによると、次のような優れた効果が得られる。
【００３５】
（１）前記スライダー１６１を前記ハウジング１２１の前記第１コンタクト１４、１４１の第１接続部２４ａ側及び前記第２コンタクト１４２の第２押受部２０ｂ側で回動させることで、前記コンタクト１４、１４１、１４２の第１及び第２接触部２２ａ、２２ｂを前記ＦＰＣ４０又は前記ＦＦＣに接触させる構造にしているので、前記ハウジング１２１の嵌合口１８に前記スライダー１６１を挿入することがなく、前記スライダー１６１の厚み分だけ前記コネクタ１０１の低背位化が可能になった。
【００３６】
（２）２種類の前記第１及び第２コンタクト１４、１４２を準備し、第１コンタクト１４を第１接続部２４ａ側から挿入し、第２コンタクト１４２を前記ハウジング１２１の嵌合口１８側から挿入し、前記スライダー１６１を第１コンタクト１４、１４１の第１接続部２４ａ側及び前記第２コンタクト１４２の第２押受部２０ｂ側で回動させることで、容易に狭小化と低背位化が可能になる。
【００３７】
（３）前記ＦＰＣ４０又は前記ＦＦＣが前記ハウジング１２１の嵌合口１８内に挿入された後に、前記スライダー１６１の押圧部３６が前記第１コンタクト１４の第１接続部２４ａと第１押受部２０ａとの間で回動すると、前記第１押受部２０ａが前記押圧部３６によって押し上げられることで前記第１コンタクト１４の第１支点部３２ａを支点にし、前記コンタクト１４の第１弾性部３４ａが前記第１接触部２２ａ側に傾くことによって、前記第１接触部２２ａが前記ＦＰＣ４０又は前記ＦＦＣ側に押圧されるので、確実に前記第１コンタクト１４の前記第１接触部２２ａと前記ＦＰＣ４０又は前記ＦＦＣとを接続することができる。
【００３８】
（４）前記ＦＰＣ４０又は前記ＦＦＣが前記ハウジング１２１の嵌合口１８内に挿入された後に、前記スライダー１６１の前記押圧部３６が第２コンタクト１４２の第２押受部２０ｂと前記ハウジング１２１との間若しくは第２押受部２０ｂと延設部４４との間で回動すると、前記第２押受部２０ｂが前記押圧部３６によって押し上げられることで前記第２コンタクト１４２の第２支点部３２ｂを支点にし、前記コンタクト１４２の第２弾性部３４ｂが前記第２接触部２２ｂ側に傾くことによって、前記第２接触部２２が前記ＦＰＣ４０又は前記ＦＦＣ側に押圧されるので、確実に前記第２コンタクト１４２の第２接触部２２ｂとＦＰＣ４０又は前記ＦＦＣとを接続することができる。
【００３９】
（５）第１及び第２コンタクト１４、１４２の第１及び第２押受部２０ａ、２０ｂの先端に第１及び第２突出部２６ａ、２６ｂを設けているので、前記スライダー１６１の前記押圧部３６を前記第１コンタクト１４、１４１の第１接続部２４ａ側及び前記第２コンタクト１４２の第２押受部２０ｂ側で回動させるとき前記スライダー１６１の回動に対する反発力が強くても、前記スライダー１６１の中央部が矢印「ハ」方向に膨れてしまうことを防ぐことが出来る。
【００４０】
（６）前記スライダー１６１の押圧部３６の形状を細長形状（長軸と短軸がある）にしているので、前記スライダー１６１を回動した際に、確実に前記第１及び第２コンタクト１４、１４２の第１及び第２押受部２０ａ、２０ｂを上方に押し上げ、前記第１及び第２接触部２２ａ、２２ｂを前記ＦＰＣ４０又は前記ＦＦＣに容易に接触させることができる。
【００４１】
（７）前記スライダー１６１には所要数の前記第１及び第２コンタクト１４、１４２の第１及び第２突出部２６ａ、２６ｂと係合する係止孔３０を設け、該係止孔３０を別個独立にしているので、前記スライダー１６１を強固で、確実に回動することができ、かつ、変形を生じない。
【００４２】
（８）前記第１コンタクト１４の第１支点部３２ａから前記第１接触部２２ａと同じ向きに延設した方向にも前記ＦＰＣ４０又は前記ＦＦＣと接触する第３接触部２２ｃをさらに設けると、前記ＦＰＣ４０又は前記ＦＦＣの挿入方向に対して、直角方向両側に第１及び第３接触部２２ａ、２２ｃを設けることになり、前記ＦＰＣ４０又は前記ＦＦＣを第１及び第３接触部２２ａ、２２ｃで挟持することになるので、確実に前記ＦＰＣ４０又は前記ＦＦＣと接触できるようになる。
【００４３】
（９）前記第２コンタクト１４２の第２支点部３２ｂと第２接続部２４ｂとの間にも、前記ＦＰＣ４０又は前記ＦＦＣと接触する第４接触部２２ｄをさらに設けると、前記ＦＰＣ４０又は前記ＦＦＣの挿入方向に対して、直角方向両側に第２及び第４接触部２２ｂ、２２ｄを設けることになり、前記ＦＰＣ４０又は前記ＦＦＣを第２及び第４接触部２２ｂ、２２ｄで挟持することになるので、確実に前記ＦＰＣ４０又は前記ＦＦＣと接触できるようになる。
【図面の簡単な説明】
【００４４】
【図１】（Ａ）は、スライダーが開いた状態のハウジング嵌合口側からみた参考コネクタの斜視図であり、（Ｂ）は、スライダーが開いた状態のハウジングの嵌合口とは反対側からみた参考コネクタの斜視図である。
【図２】（Ａ）は、スライダーが開いた状態でコンタクト部分で切断した参考コネクタの斜視図であり、（Ｂ）は、ＦＰＣが挿入されスライダーが閉じた状態でコンタクト部分で切断した参考コネクタの斜視図である。
【図３】本発明のコネクタを構成するスライダーの斜視図である。
【図４】（Ａ）は、２つの接触部（第１及び第３接触部）を持った第１コンタクトの斜視図であり、（Ｂ）は、１つの接触部（第１接触部）を持った別形態の第１コンタクトの斜視図である。
【図５】本発明のコネクタの斜視図である。
【図６】（Ａ）は、スライダーが開いた状態で第２コンタクト部分で切断したときの本発明のコネクタの斜視図であり、（Ｂ）は、ＦＰＣが挿入されスライダーが閉じた状態で第２コンタクト部分で切断したときの本発明のコネクタの斜視図である。
【図７】スライダーが挿入される前の嵌合口側からみた従来のコネクタの斜視図である。
【図８】（Ａ）は、スライダーが挿入される前の状態でコンタクト部分で切断したときの従来のコネクタの斜視図であり、（Ｂ）は、ＦＰＣが挿入されスライダーが挿入された状態でコンタクト部分で切断したときの従来のコネクタの斜視図である。
【符号の説明】
【００４５】
１０１、６０        コネクタ
１２１、６２        ハウジング
１４、１４１        第１コンタクト
１４２              第２コンタクト
１６、１６１、６６  スライダー
１８                嵌合口
２０ａ              第１押受部
２０ｂ              第２押受部
２２ａ              第１接触部
２２ｂ              第２接触部
２２ｃ              第３接触部
２２ｄ              第４接触部
２４ａ              第１接続部
２４ｂ              第２接続部
２６ａ              第１突出部
２６ｂ              第２突出部
２８                軸
３０                係止孔
３２ａ              第１支点部
３２ｂ              第２支点部
３４ａ              第１弾性部
３４ｂ              第２弾性部
３６、６８          押圧部
３８                挿入溝
４０                ＦＰＣ
４２ａ              第１固定部
４２ｂ              第２固定部
４４                延設部
７０                受け部
６４                コンタクト
７２                スリット
７４                装着部
７６                固定具
【図１】
0004273173.tif 000002
【図２】
0004273173.tif 000003
【図３】
0004273173.tif 000004
【図４】
0004273173.tif 000005
【図５】
0004273173.tif 000006
【図６】
0004273173.tif 000007
【図７】
0004273173.tif 000008
【図８】
0004273173.tif 000009